(57)【要約】【課題】埋込体を確実かつ強固にスラブ内に固定することができ、コンクリート打設時のコンクリート圧力や埋込体の浮力によっても、埋込体の傾きや横移動が発生することがなく、埋込体のコンクリートとのかぶり厚さを確保して、十分な耐力を得ることができ、施工性、安定性、高品質性に優れ、補修作業などが不要で施工性、省力性に優れたコンクリート中空スラブの施工方法の提供。【解決手段】下端鉄筋を格子状に配筋する下端鉄筋配筋工程と、隣接する下端鉄筋の間に埋込体の下面側を支持する下部固定筋を配筋する下部固定筋配筋工程と、埋込体の上面側を固定するための上部固定筋を下端鉄筋又は下部固定筋の上に仮置きする上部固定筋仮置き工程と、上端鉄筋を格子状に配筋する上端鉄筋配筋工程と、空間内の下部固定筋の上に埋込体を設置する埋込体設置工程と、上部固定筋を前記埋込体と上端鉄筋の間に係合させる上部固定筋係合工程と、を備える。【選択図】図１
2015068076.tif 000002
【特許請求の範囲】
【請求項１】
型枠内の下端鉄筋と上端鉄筋によって格子状に仕切られた空間内に埋込体が配設され、コンクリートが打設されるコンクリート中空スラブの施工方法であって、
前記下端鉄筋を格子状に配筋する下端鉄筋配筋工程と、隣接する前記下端鉄筋の間に前記埋込体の下面側を支持する下部固定筋を配筋する下部固定筋配筋工程と、前記埋込体の上面側を固定するための上部固定筋を前記下端鉄筋又は前記下部固定筋の上に仮置きする上部固定筋仮置き工程と、前記上端鉄筋を格子状に配筋する上端鉄筋配筋工程と、前記空間内の前記下部固定筋の上に前記埋込体を設置する埋込体設置工程と、前記上部固定筋を前記埋込体と前記上端鉄筋の間に係合させる上部固定筋係合工程と、を備えたことを特徴とするコンクリート中空スラブの施工方法。
【請求項２】
前記上部固定筋係合工程において、前記上部固定筋が、前記埋込体の上面に切り欠き状に形成された上部固定筋受け段差部に係合されることを特徴とする請求項１に記載のコンクリート中空スラブの施工方法。
【請求項３】
前記埋込体設置工程において、前記下部固定筋が、前記埋込体の下面に形成された下部固定筋受け溝に嵌合されることを特徴とする請求項１又は２に記載のコンクリート中空スラブの施工方法。
【請求項４】
前記下部固定筋と前記上部固定筋が直交して配設されることを特徴とする請求項１乃至３の内いずれか１項に記載のコンクリート中空スラブの施工方法。
【請求項５】
請求項１乃至４の内いずれか１項に記載のコンクリート中空スラブの施工方法に用いられる埋込体であって、
下面に形成され前記下部固定筋が嵌合される下部固定筋受け溝と、上面に切り欠き状に形成され前記上部固定筋が係合される上部固定筋受け段差部と、を備えたことを特徴とする埋込体。
【請求項６】
前記下部固定筋受け溝と前記上部固定筋受け段差部が直交して形成されたことを特徴とする請求項５に記載の埋込体。
【請求項７】
上面又は下面の少なくともいずれか一方に形成された配筋用凹部を備えたことを特徴とする請求項５又は６に記載の埋込体。
【請求項８】
上面に形成された凸部と、下面に形成された嵌合凹部と、を備えたことを特徴とする請求項５乃至７の内いずれか１項に記載の埋込体。
【発明の詳細な説明】
【技術分野】
【０００１】
本発明は、建築物の鉄筋コンクリートスラブ内に軽量材からなる埋込体を埋設して中空のコンクリートスラブを形成するコンクリート中空スラブの施工方法及びそれに用いられる埋込体に関するものである。
【背景技術】
【０００２】
従来より、スラブ鉄筋工事の終了後、軽量材からなる埋込体をコンクリート内に埋設する中空スラブ工法が知られている。この工法はスラブの型枠板の上面に上下端スラブ鉄筋を配置し、そのスラブ鉄筋間に、軽量材からなる埋込体を配置し、その後、コンクリートを打設するものである。これにより、長いスパンのコンクリート中空スラブが構築できる。
そして、（特許文献１）、（特許文献２）には、直方体状や球体の上下を平行面で切り取った形状のように、上面に一定の平面を持つ埋込体を埋設するコンクリート中空スラブ工法として、下端鉄筋、上端鉄筋等のスラブ鉄筋工事の終了後に、埋込体を上下端鉄筋間の空間に配置する工法が開示されている。
これらの工法では、スラブ鉄筋工事が終了したのちに、埋込体を配置するため、下部の埋込体を受ける固定筋類は、スラブ鉄筋工事において、下端鉄筋配筋時に同時に配筋される。また、上端鉄筋を配筋した後に、埋込体の上面を固定するために、上端鉄筋の下面に、長い固定筋を差し込むことや、ある一定の長さの押さえ金具を挿入することが、困難であり、作業性も悪いため、埋込体を固定する固定筋や押さえ金具の類を上端鉄筋の上から配置し、上端鉄筋の上面で結束して埋込体を押さえ込むという固定方法が取られている。
【先行技術文献】
【特許文献】
【０００３】
【特許文献１】特開２００６−９３６３号公報
【特許文献２】特開２００６−７０６１６号公報
【発明の開示】
【発明が解決しようとする課題】
【０００４】
しかしながら、上記従来の技術は以下のような課題を有していた。
（１）（特許文献１）、（特許文献２）のように、上端鉄筋の上面に固定筋を乗せ、固定筋で埋込体を押さえて、固定鉄筋と上端鉄筋を結束線で結束するという固定方法では、結束線の力で埋込体の傾きや横移動を防止することは難しく、コンクリート打設時のコンクリート圧力と埋込体の浮力により、結束線が破断し、埋込体の傾きや横移動が発生している。これにより、埋込体のコンクリートとのかぶり厚さが確保できず、スラブの耐力が不足し易くなるという課題を有していた。
（２）また、直方体状や球体の上下を平行面で切り取った形状のように、上面に一定の平面を持つ（特許文献１）、（特許文献２）の埋込体は、コンクリートとのかぶり厚さの確保ができないため、その上面に構造設計上必要なひび割れ防止筋や構造鉄筋を配置することができないという課題を有していた。
（３）さらに、（特許文献１）、（特許文献２）の上端鉄筋の上面側に配置した固定鉄筋や押さえ金具で埋込体を抑え込む方法では、コンクリートの打設圧力で結束線切れを起こすことにより、埋込体への押さえこみ不足が生じ、埋込体が傾いたり、横移動したりして、上端鉄筋からはみ出すことがあるため、コンクリート打設時の埋込体の補修作業者を常時必要とし、施工性、省力性に欠けるという課題を有していた。
（４）また、従来の埋込体の形状は、直方体状や立方体状そのままであるため、輸送時及び工場内や現場での在庫時の省スペース化、スタック安定性の改善が求められていた。
【０００５】
本発明は上記課題を解決するもので、埋込体を確実かつ強固にスラブ内に固定することができ、コンクリート打設時のコンクリート圧力や埋込体の浮力によっても、埋込体の傾きや横移動が発生することがなく、埋込体のコンクリートとのかぶり厚さを確保して、十分な耐力を得ることができ、施工性、安定性、高品質性に優れ、補修作業などが不要で施工性、省力性に優れたコンクリート中空スラブの施工方法の提供、及び簡素な構造で、鉄筋コンクリートスラブ内の上下端鉄筋間に確実に固定することができ、傾きや横移動が発生することがなく、施工性、固定安定性に優れ、輸送時、及び工場内や現場での在庫時の省スペース性、スタック性に優れた埋込体の提供を目的とする。
【課題を解決するための手段及びそれによって得られる作用、効果】
【０００６】
上記課題を解決するために本発明のコンクリート中空スラブの施工方法及びそれに用いられる埋込体は、以下の構成を有している。
本発明の請求項１に記載のコンクリート中空スラブの施工方法は、型枠内の下端鉄筋と上端鉄筋によって格子状に仕切られた空間内に埋込体が配設され、コンクリートが打設されるコンクリート中空スラブの施工方法であって、前記下端鉄筋を格子状に配筋する下端鉄筋配筋工程と、隣接する前記下端鉄筋の間に前記埋込体の下面側を支持する下部固定筋を配筋する下部固定筋配筋工程と、前記埋込体の上面側を固定するための上部固定筋を前記下端鉄筋又は前記下部固定筋の上に仮置きする上部固定筋仮置き工程と、前記上端鉄筋を格子状に配筋する上端鉄筋配筋工程と、前記空間内の前記下部固定筋の上に前記埋込体を設置する埋込体設置工程と、前記上部固定筋を前記埋込体と前記上端鉄筋の間に係合させる上部固定筋係合工程と、を備えた構成を有している。
この構成により、以下のような作用、効果を有する。
（１）下端鉄筋を格子状に配筋する下端鉄筋配筋工程と、隣接する下端鉄筋の間に埋込体の下面側を支持する下部固定筋を配筋する下部固定筋配筋工程を有するので、下部固定筋の要所を下端鉄筋で支持することができ、後工程の埋込体設置工程で、空間内の下部固定筋の上に埋込体を設置した際に、埋込体を下端鉄筋と下部固定筋で確実に支持することができ、埋込体の支持安定性に優れる。
（２）上端鉄筋を格子状に配筋する上端鉄筋配筋工程の前に、埋込体の上面側を固定するための上部固定筋を下端鉄筋又は下部固定筋の上に仮置きする上部固定筋仮置き工程を有するので、上端鉄筋配筋工程や埋込体設置工程の後から、埋込体の上面側を固定するための上部固定筋を上端鉄筋の下方に差込む必要がなく、施工性に優れる。
（３）上部固定筋仮置き工程により、埋込体の上面側を固定するための上部固定筋を予め下端鉄筋又は下部固定筋の上に仮置きすることができるので、後工程の上部固定筋係合工程では、下端鉄筋又は下部固定筋の上に仮置きされた上部固定筋を持ち上げて、埋込体の外側から上部固定筋をスライドさせるようにして埋込体と上端鉄筋の間に簡単に挿通して係合させることができ、施工性に優れる。
（４）上部固定筋係合工程において、上部固定筋を埋込体と上端鉄筋の間に係合させることができるので、上部固定筋の上面側を上端鉄筋で確実かつ強固に固定することができ、上部固定筋と上端鉄筋を結束する結束線が破断したとしても、埋込体が浮き上がることはなく、埋込体の押さえ込み不足が発生せず、埋込体の固定の確実性、安定性に優れる。
（５）埋込体が、下端鉄筋の上に配設された下部固定筋と、上端鉄筋の下に配設された上部固定筋の間に配置されることにより、埋込体を下端鉄筋及び上端鉄筋全体で挟み込んで強固に固定することができ、埋込体の傾き、横移動、浮き上がりなどの発生を防止することができるので、埋込体のコンクリートとのかぶり厚さを確保して、十分な耐力を得ることができ、高精度で安定した品質のコンクリート中空スラブを形成することができると共に、コンクリート打設時の埋込体の補修作業も不要で、施工性、省力性に優れる。
【０００７】
ここで、埋込体の形状は適宜、選択することができるが、直方体状、立方体状、円柱状などに形成したものが好適に用いられる。
また、埋込体は、比重がコンクリートの比重に対し十分に小さいものが用いられ、例えばプラスチック発泡体、無機発泡体、プラスチック中空成形体等が好適に用いられる。
プラスチック発泡体としては、例えばポリスチレン、ポリエチレン、ポリプロピレン（共重合体を含む）、ポリエチレン／ポリスチレン複合樹脂、ポリ塩化ビニル、ポリ塩化ビニリデン、アクリロニトリル／スチレン共重合体、ポリウレタン等の発泡体を用いることができる。
無機発泡体としては、例えばＡＬＣ、ガラス、パーライトなどのフォームブロック体を用いることができる。
プラスチック中空成形体の材料としては、例えばポリスチレン、ポリエチレン、ポリプロピレン等のオレフィン樹脂の他、ポリ塩化ビニル、ポリエチレンテレフタレート、ポリカーボネート等を用いることができる。
埋込体の大きさは、スラブ厚さ、配筋量及び主筋のコンクリートのかぶり厚の規定等から決定されるが、直方体状に形成する場合は、縦１００ｍｍ×横１００ｍｍ×高さ１００ｍｍ〜縦５００ｍｍ×横５００ｍｍ×高さ２５０ｍｍ程度のものが好適に用いられる。
【０００８】
埋込体の配置は適宜、選択することができ、下端鉄筋と上端鉄筋によって格子状に仕切られた全ての空間に配置するものに限定されるものではなく、一列置きや千鳥状などに配置することもできる。
下部固定筋配筋工程において、隣接する下端鉄筋の間に配筋する下部固定筋の数や配置は、適宜、選択することができる。例えば、下部固定筋は縦方向のみに配置してもよいし、横方向のみに配置してもよい。このとき、１つの空間に対して２本の下部固定筋を平行に配置した場合は、埋込体の下面を前後又は左右の２箇所で支持することができ、支持の安定性に優れる。
上部固定筋係合工程において、埋込体と上端鉄筋の間に係合させる上部固定筋の数は１本でも２本でもよいが、２本の上部固定筋を平行に配置した場合は、埋込体の上面を前後又は左右の２箇所で押さえることができ、埋込体の傾きや横移動を確実に防止することができ、固定の安定性に優れる。
尚、下端鉄筋配筋工程と、上端鉄筋配筋工程は従来と同様に行われる。下端鉄筋と上端鉄筋は主筋支持体（鉄筋用スペーサ）により略一定の間隔に保持され空間が形成される。
【０００９】
請求項２に記載の発明は、請求項１に記載のコンクリート中空スラブの施工方法であって、前記上部固定筋係合工程において、前記上部固定筋が、前記埋込体の上面に切り欠き状に形成された上部固定筋受け段差部に係合される構成を有している。
この構成により、請求項１の作用、効果に加え、以下のような作用、効果を有する。
（１）上部固定筋係合工程において、上部固定筋が、埋込体の上面に切り欠き状に形成された上部固定筋受け段差部に係合されるので、上端鉄筋と埋込体の上部固定筋受け段差部の間に挟まれた上部固定筋により、埋込体の横移動を効果的に防止することができ、埋込体の固定安定性に優れる。
（２）上部固定筋受け段差部が埋込体の上面に切り欠き状に形成されているので、上部固定筋を埋込体の外側からスライドさせるようにして係合させる際に、上部固定筋が上部固定筋受け段差部に面する凸部の側面に当接して容易に位置決めすることができ、作業性に優れる。
ここで、上部固定筋受け段差部が、埋込体の上面の両側部に形成されている場合、両側の上部固定筋受け段差部と上部固定筋受け段差部の間に形成される凸部を２本の上部固定筋により、両側から挟むようにして固定することができ、埋込体の横移動を確実に防止することができる。
【００１０】
請求項３に記載の発明は、請求項１又は２に記載のコンクリート中空スラブの施工方法であって、前記埋込体設置工程において、前記下部固定筋が、前記埋込体の下面に形成された下部固定筋受け溝に嵌合される構成を有している。
この構成により、請求項１又は２の作用、効果に加え、以下のような作用、効果を有する。
（１）埋込体設置工程において、下部固定筋が、埋込体の下面に形成された下部固定筋受け溝に嵌合されるので、埋込体を下部固定筋で確実に支持して、埋込体の横移動を防止することができ、埋込体の支持安定性に優れる。
【００１１】
請求項４に記載の発明は、請求項１乃至３の内いずれか１項に記載のコンクリート中空スラブの施工方法であって、前記下部固定筋と前記上部固定筋が直交して配設される構成を有している。
この構成により、請求項１乃至３の内いずれか１項の作用、効果に加え、以下のような作用、効果を有する。
（１）下部固定筋と上部固定筋が直交して配設されることにより、埋込体の前後方向及び左右方向の移動を確実に防止することができ、埋込体の固定の確実性、安定性に優れる。
【００１２】
本発明の請求項５に記載の埋込体は、請求項１乃至４の内いずれか１項に記載のコンクリート中空スラブの施工方法に用いられる埋込体であって、下面に形成され前記下部固定筋が嵌合される下部固定筋受け溝と、上面に切り欠き状に形成され前記上部固定筋が係合される上部固定筋受け段差部と、を備えして配設される構成を有している。
この構成により、以下のような作用、効果を有する。
（１）下面に形成され下部固定筋が嵌合される下部固定筋受け溝を有するので、下部固定筋受け溝に下部固定筋を嵌合させるだけで、埋込体を所定の位置に固定して位置ずれを防止することができ、固定安定性に優れる。
（２）下面に下部固定筋受け溝が形成されているので、埋込体を下部固定筋の上に置いて下方に押し下げるだけで下部固定筋受け溝に下部固定筋を嵌合させて位置決め固定することができ、施工性に優れる。
（３）上面に切り欠き状に形成され上部固定筋が係合される上部固定筋受け段差部を有するので、上部固定筋受け段差部に上部固定筋を係合させるだけで、埋込体を所定の位置に固定して位置ずれを防止することができ、固定安定性に優れる。
（４）上面に上部固定筋受け段差部が形成されているので、上部固定筋を埋込体の外側からスライドさせるようにして、上端鉄筋と上部固定筋受け段差部の間に容易に係合させることができ、施工性に優れる。
（５）下部固定筋受け溝に嵌合される下部固定筋と、上部固定筋受け段差部に係合される上部固定筋により、埋込体を上下から挟んで固定することができ、埋込体の傾きや縦横の移動を防止することができるので、コンクリート打設時の埋込体の補修作業が不要で、施工性、省力性に優れる。
【００１３】
ここで、下部固定筋受け溝は、下部固定筋を嵌合できるものであればよく、その形状や寸法は、嵌合させる下部固定筋の形状や寸法に応じて適宜、選択することができる。
下部固定筋受け溝の数や配置は、埋込体の形状や大きさなどによって、適宜、選択することができるが、少なくとも２本の下部固定筋受け溝を形成することにより、埋込体の下面を確実に支持することができ、支持の安定性に優れる。
上部固定筋受け段差部は、上部固定筋を係合できるものであればよく、その深さ（高さ）や幅は、係合させる上部固定筋の寸法に応じて適宜、選択することができる。上部固定筋受け段差部の深さ（高さ）を上部固定筋の直径（高さ方向寸法）とほぼ同等に形成した場合、上端鉄筋の底面部と上部固定筋受け段差部の底面部との間に形成される隙間が、上部固定筋の直径（高さ方向寸法）とほぼ同等になり、埋込体と上部固定筋及び上端鉄筋を確実に接触させることができ、固定の確実性に優れる。
上部固定筋受け段差部は、１箇所又は２箇所に形成することができるが、２つの上部固定筋受け段差部を埋込体の上面の両側部に対向配置することが好ましい。２つの上部固定筋受け段差部の間に凸部を形成することができ、各々の上部固定筋受け段差部に係合される２本の上部固定筋により、凸部を両側から挟むようにして固定して、埋込体の横方向の位置ずれを確実に防止することができ、固定安定性に優れるためである。
尚、コンクリート中空スラブの構造設計上、埋込体の容積調整が必要な場合、下面の下部固定筋受け溝の深さや上部固定筋受け段差部の深さ（高さ）を下部固定筋の直径（高さ方向寸法）や上部固定筋の直径（高さ方向寸法）よりも大きめに形成することで、コンクリート打設時に埋込体を浮き上がらせて固定することができ、設計自在性に優れる。
【００１４】
請求項６に記載の発明は、請求項５に記載の埋込体であって、前記下部固定筋受け溝と前記上部固定筋受け段差部が直交して形成された構成を有している。
この構成により、請求項５の作用、効果に加え、以下のような作用、効果を有する。
（１）下部固定筋受け溝と上部固定筋受け段差部が直交して形成されることにより、下部固定筋受け溝に嵌合される下部固定筋と、上部固定筋受け段差部に係合される上部固定筋により、埋込体の前後方向及び左右方向の移動を確実に防止することができ、固定の確実性、安定性に優れる。
【００１５】
請求項７に記載の発明は、請求項５又は６に記載の埋込体であって、上面又は下面の少なくともいずれか一方に形成された配筋用凹部を備えた構成を有している。
この構成により、請求項５又は６の作用、効果に加え、以下のような作用、効果を有する。
（１）上面又は下面の少なくともいずれか一方に形成された配筋用凹部を有することにより、埋込体の上面や下面におけるコンクリートのかぶり厚さを確保して、ひび割れ防止筋や構造鉄筋を配置することができ、汎用性、構造設計の自在性に優れる。
（２）配筋用凹部を有することにより、パンチングシャーを強化することができ、コンクリート中空スラブが共振し難く、遮音性に優れる。
ここで、配筋用凹部は、コンクリート中空スラブの構造設計上の必要に応じて、適宜、形成することができる。配筋用凹部の形状や大きさは、適宜、選択することができるが、半円筒形に形成したものが好適に用いられる。
【００１６】
請求項８に記載の発明は、請求項５乃至７の内いずれか１項に記載の埋込体であって、上面に形成された凸部と、下面に形成された嵌合凹部と、を備えた構成を有している。
この構成により、請求項５乃至７の内いずれか１項の作用、効果に加え、以下のような作用、効果を有する。
（１）上面に形成された凸部と、下面に形成された嵌合凹部を有するので、一方の埋込体の嵌合凹部に他方の埋込体の凸部を嵌合させて、複数の埋込体を容易に積み重ねることができ、荷崩れや嵩張りを防止して、輸送時、及び、工場内や現場での在庫時の省スペース性、スタック安定性に優れる。
ここで、凸部は埋込体の上面に適宜、形成することができるが、上部固定筋受け段差部を形成した残りの部分を凸部として利用することにより、生産性、省スペース性に優れる。尚、嵌合凹部は凸部の形状と位置に対応させて、適宜、形成することができる。
【図面の簡単な説明】
【００１７】
【図１】実施の形態１のコンクリート中空スラブの施工方法で形成されるコンクリート中空スラブのコンクリート打設前の状態を示す模式斜視図
【図２】実施の形態１のコンクリート中空スラブの施工方法に用いられる埋込体の下面側模式斜視図
【図３】実施の形態１のコンクリート中空スラブの施工方法に用いられる埋込体の上面側模式斜視図
【図４】実施の形態１のコンクリート中空スラブの施工方法における上端鉄筋配筋工程後の状態を示す模式斜視図
【図５】実施の形態１のコンクリート中空スラブの施工方法における埋込体設置工程及び上部固定筋係合工程を示す模式斜視図
【図６】実施の形態１のコンクリート中空スラブの施工方法で形成されるコンクリート中空スラブにおける埋込体の配置状態を示す要部模式正面図
【図７】実施の形態１のコンクリート中空スラブの施工方法で形成されるコンクリート中空スラブにおける埋込体の配置状態を示す要部模式側面図
【発明を実施するための形態】
【００１８】
（実施の形態１）
本発明の実施の形態１におけるコンクリート中空スラブの施工方法及びそれに用いられる埋込体について、以下図面を参照しながら説明する。なお、本発明は以下に説明する実施の形態に限定されるものではない。
図１は実施の形態１のコンクリート中空スラブの施工方法で形成されるコンクリート中空スラブのコンクリート打設前の状態を示す模式斜視図である。
図１中、１は実施の形態１におけるコンクリート中空スラブの施工方法で形成されるコンクリート打設前のコンクリート中空スラブ、２はスラブ下部の型枠板、３は型枠板２の要所に配設されたコンクリート中空スラブ１の主筋支持体、５ａ，５ｂは要所を主筋支持体３で支持され縦横４５ｃｍ程度の格子状に配筋されたコンクリート中空スラブの下端鉄筋、６ａ，６ｂは要所を主筋支持体３で支持され縦横４５ｃｍ程度の格子状に配筋されたコンクリート中空スラブの上端鉄筋、７ａは隣接する縦方向の下端鉄筋５ａの間に下端鉄筋５ａと平行に２本ずつ配筋され後述する埋込体８の下面側を支持する下部固定筋、７ｂは隣接する横方向の上端鉄筋６ｂの間に上端鉄筋６ｂと平行に２本ずつ配設され後述する埋込体８と上端鉄筋６ａの間に係合する上部固定筋、８はポリスチレン等の合成樹脂からなる発泡体で縦横３０ｃｍ程度の略直方体状に形成され下端鉄筋５ａ，５ｂと上端鉄筋６ａ，６ｂによって格子状に仕切られた空間内に配設された埋込体、９ａ，９ｂは埋込体８の下面及び上面に配筋されたひび割れ防止筋などの補助鉄筋、１０は上端側のフック部を上端鉄筋６ａ，６ｂに引っ掛けて下端側を型枠板２に固定することにより埋込体８に対して下端鉄筋５ａ，５ｂ及び上端鉄筋６ａ，６ｂ全体で浮き上がりを防止する浮止め金具である。
尚、本実施の形態では、下端鉄筋５ａと平行な方向を縦方向（前後方向）とし、下端鉄筋５ｂと平行な方向を横方向（左右方向）とする。
【００１９】
次に、実施の形態１のコンクリート中空スラブの施工方法に用いられる埋込体の詳細について説明する。
図２は実施の形態１のコンクリート中空スラブの施工方法に用いられる埋込体の下面側模式斜視図であり、図３は実施の形態１のコンクリート中空スラブの施工方法に用いられる埋込体の上面側模式斜視図である。
図２中、８ａは埋込体８の下面に形成され下部固定筋７ａが嵌合される２本の下部固定筋受け溝、８ｂは埋込体８の下面の中央部に形成された嵌合凹部、８ｃは埋込体８の下面中央部に嵌合凹部８ｂより深く半円筒状に形成された配筋用凹部である。
図３中、８ｄは埋込体８の上面の両側部に切り欠き状に形成され上部固定筋７ｂが係合される上部固定筋受け段差部、８ｅは埋込体８の上面の両側部に上部固定筋受け段差部８ｄを形成することにより埋込体８の上面の中央部に形成された凸部、８ｆは埋込体８の下面中央部に凸部８ｅと直交して半円筒状に形成された配筋用凹部である。
【００２０】
嵌合凹部８ｂは凸部８ｅと同等の寸法に形成することにより、埋込体８の搬送時や保管時に、嵌合凹部８ｂと凸部８ｅを嵌合させて複数の埋込体８を積み重ねることができ、スタック安定性、省スペース性に優れる。
また、配筋用凹部８ｃ、８ｆは、コンクリート中空スラブの構造設計上の必要に応じて、適宜、形成することができる。配筋用凹部８ｃ、８ｆの形状や大きさは、本実施の形態に限定されるものではなく、適宜、選択することができる。
【００２１】
以上のように構成された埋込体を用いた実施の形態１のコンクリート中空スラブの施工方法について説明する。
図４は実施の形態１のコンクリート中空スラブの施工方法における上端鉄筋配筋工程後の状態を示す模式斜視図であり、図５は実施の形態１のコンクリート中空スラブの施工方法における埋込体設置工程及び上部固定筋係合工程を示す模式斜視図であり、図６は実施の形態１のコンクリート中空スラブの施工方法で形成されるコンクリート中空スラブにおける埋込体の配置状態を示す要部模式正面図であり、図７は実施の形態１のコンクリート中空スラブの施工方法で形成されるコンクリート中空スラブにおける埋込体の配置状態を示す要部模式側面図である。
【００２２】
図４では、まず、下端鉄筋配筋工程において、主筋支持体３を用いて下端鉄筋５ａ，５ｂを格子状に配筋する。このとき、横方向の下端鉄筋５ｂの上に縦方向の下端鉄筋５ａが直交するように配置し、交差部を結束線（図示せず）で結束して固定する。また、ひび割れ防止筋などの補助鉄筋９ａも下端鉄筋５ｂと平行に下端鉄筋５ａの下方に一緒に配筋し、下端鉄筋５ａとの交差部を結束して固定する。
次に、下部固定筋配筋工程において、隣接する下端鉄筋５ａ，５ａの間に２本ずつ埋込体８の下面側を支持する下部固定筋７ａを配筋する。下部固定筋７ａは下端鉄筋５ｂの上に下端鉄筋５ａと平行に配置し、交差部を結束して固定する。
次に、上部固定筋仮置き工程において、埋込体８の上面側を固定するための上部固定筋７ｂを下端鉄筋５ａの上に仮置きする。このとき、上部固定筋７ｂは隣接する下端鉄筋５ｂ，５ｂの間に下部固定筋７ａと直交するように２本ずつ配置するが、後工程の埋込体設置工程で埋込体８を下部固定筋７ａの上に設置する際に邪魔にならないように下端鉄筋５ｂのすぐ側に配置しておくことが好ましい。
次に、上端鉄筋配筋工程において、主筋支持体３を用いて上端鉄筋６ａ，６ｂを格子状に配筋する。このとき、横方向の上端鉄筋６ｂの上に縦方向の上端鉄筋６ａが直交するように配置し、交差部を結束して固定する。
以上のようにして、図４に示した上端鉄筋配筋工程後の状態が得られる。
【００２３】
次に、図５では、埋込体設置工程において、下端鉄筋５ａ，５ｂと上端鉄筋６ａ，６ｂによって格子状に仕切られた空間内の下端鉄筋５ｂ上の２本の下部固定筋７ａの上に埋込体８を設置し、埋込体８の下面の下部固定筋受け溝部８ａに下部固定筋７ａを嵌合させる。その後、埋込体８の横移動を防止するために、下部固定筋７ａと下端鉄筋５ｂの交差部を結束して固定する。
次に、上部固定筋係合工程において、上部固定筋仮置き工程で予め下部固定筋７ａと直交方向に置かれていた上部固定筋７ｂを図５の縦方向の手前側に示したように上方に持ち上げ、埋込体８の外側から中央側へスライドさせるようにして、図５の縦方向の奥側に示したように埋込体８と上端鉄筋６ａの間に嵌着させる。そして、埋込体８を下部固定筋７ａと上部固定筋７ｂで挟み込んだ後、上部固定筋７ｂと上端鉄筋６ａの交差部を結束して、埋込体８を固定する。
最後に、ひび割れ防止筋などの補助鉄筋９ｂを上端鉄筋６ｂの上から配置して交差部を結束し、図１に示したコンクリート中空スラブ１が得られる。尚、必要に応じて、下端鉄筋５ｂと上端鉄筋６ｂの長手方向の途中を連結して下端鉄筋５ｂと上端鉄筋６ｂの間隔を保持する高さ保持筋などを配設してもよい。
【００２４】
以上のようにして形成されたコンクリート中空スラブ１における埋込体８は、図６に示すように、２本の下部固定筋７ａが下部固定筋受け溝部８ａに嵌合することにより、埋込体８が下端鉄筋５ａ，５ｂ全体で支持され、左右方向の横移動が防止される。下部固定筋受け溝８ａの数や配置は、埋込体８の形状や大きさなどによって、適宜、選択することができるが、本実施の形態のように２本の下部固定筋受け溝８ａを形成することにより、埋込体８の支持の安定性に優れる。
また、図７に示すように、上端鉄筋６ａの下面と埋込体８の上面の上部固定筋受け段差部８ｄで囲まれた隙間に上部固定筋７ｂがはめ込まれて係合することにより、上部固定筋７ｂを介して上端鉄筋６ａ，６ｂ全体で埋込体８を押さえ込むことができ、前後方向の横移動及び浮き上がりが防止される。
【００２５】
特に、本実施の形態のように上部固定筋受け段差部８ｄの深さ（高さ）を上部固定筋７ｂの直径（高さ方向寸法）とほぼ同等に形成することにより、上端鉄筋６ａの底面部と上部固定筋受け段差部８ｄの底面部との間に形成される隙間が、上部固定筋７ｂの直径（高さ方向寸法）とほぼ同等になり、埋込体８と上部固定筋７ｂ及び上端鉄筋６ａを確実に接触させることができ、固定の確実性に優れる。また、２つの上部固定筋受け段差部８ｄを埋込体８の上面の両側部に対向配置することにより、２つの上部固定筋受け段差部８ｄの間に凸部８ｅを形成することができ、各々の上部固定筋受け段差部８ｄに係合される２本の上部固定筋７ｂにより、凸部８ｅを両側から挟むようにして固定して、埋込体８の前後方向の位置ずれを確実に防止することができ、固定安定性に優れる。
尚、構造設計において、埋込体８の上下面にひび割れ防止筋等の補助鉄筋９ａ，９ｂの配筋が必要な場合は、図６、図７に示すように、配筋用凹部８ｃ、８ｆの位置に配筋することができる。
【００２６】
以上のように構成された実施の形態１のコンクリート中空スラブの施工方法は、以下の作用を有する。
（１）下端鉄筋を格子状に配筋する下端鉄筋配筋工程と、隣接する下端鉄筋の間に埋込体の下面側を支持する下部固定筋を配筋する下部固定筋配筋工程を有するので、下部固定筋の要所を下端鉄筋で支持することができ、後工程の埋込体設置工程で、空間内の下部固定筋の上に埋込体を設置した際に、埋込体を下端鉄筋と下部固定筋で確実に支持することができ、埋込体の支持安定性に優れる。
（２）上端鉄筋を格子状に配筋する上端鉄筋配筋工程の前に、埋込体の上面側を固定するための上部固定筋を下端鉄筋又は下部固定筋の上に仮置きする上部固定筋仮置き工程を有するので、上端鉄筋配筋工程や埋込体設置工程の後から、埋込体の上面側を固定するための上部固定筋を上端鉄筋の下方に差込む必要がなく、施工性に優れる。
（３）上部固定筋仮置き工程により、埋込体の上面側を固定するための上部固定筋を予め下端鉄筋又は下部固定筋の上に仮置きすることができるので、後工程の上部固定筋係合工程では、下端鉄筋又は下部固定筋の上に仮置きされた上部固定筋を持ち上げて、埋込体の外側から上部固定筋をスライドさせるようにして埋込体と上端鉄筋の間に簡単に係合させることができ、施工性に優れる。
（４）上部固定筋係合工程において、上部固定筋を埋込体と上端鉄筋の間に係合させることができるので、上部固定筋の上面側を上端鉄筋で確実かつ強固に固定することができ、上部固定筋と上端鉄筋を結束する結束線が破断したとしても、埋込体が浮き上がることはなく、埋込体の押さえ込み不足が発生せず、埋込体の固定の確実性、安定性に優れる。
（５）埋込体が、下端鉄筋の上に配設された下部固定筋と、上端鉄筋の下に配設された上部固定筋の間に配置されることにより、埋込体を下端鉄筋及び上端鉄筋全体で挟み込んで強固に固定することができ、埋込体の傾き、横移動、浮き上がりなどの発生を防止することができるので、埋込体のコンクリートとのかぶり厚さを確保して、十分な耐力を得ることができ、高精度で安定した品質のコンクリート中空スラブを形成することができると共に、コンクリート打設時の埋込体の補修作業も不要で、施工性、省力性に優れる。
（６）上部固定筋係合工程において、上部固定筋が、埋込体の上面に切り欠き状に形成された上部固定筋受け段差部に係合されるので、上端鉄筋と埋込体の上部固定筋受け段差部の間に挟まれた上部固定筋により、埋込体の横移動を効果的に防止することができ、埋込体の固定安定性に優れる。
（７）上部固定筋受け段差部が埋込体の上面に切り欠き状に形成されているので、上部固定筋を埋込体の外側からスライドさせるようにして係合させる際に、上部固定筋が上部固定筋受け段差部に面する凸部の側面に当接して容易に位置決めすることができ、作業性に優れる。
（８）埋込体設置工程において、下部固定筋が、埋込体の下面に形成された下部固定筋受け溝に嵌合されるので、埋込体を下部固定筋で確実に支持して、埋込体の横移動を防止することができ、埋込体の支持安定性に優れる。
（９）下部固定筋と上部固定筋が直交して配設されることにより、埋込体の前後方向及び左右方向の移動を確実に防止することができ、埋込体の固定の確実性、安定性に優れる。
以上のように構成された実施の形態１のコンクリート中空スラブの施工方法及びそれに用いられる埋込体は、以下の作用を有する。
【００２７】
以上のように構成された実施の形態１のコンクリート中空スラブの施工方法に用いられる埋込体は、以下の作用を有する。
（１）下面に形成され下部固定筋が嵌合される下部固定筋受け溝を有するので、下部固定筋受け溝に下部固定筋を嵌合させるだけで、埋込体を所定の位置に固定して位置ずれを防止することができ、固定安定性に優れる。
（２）下面に下部固定筋受け溝が形成されているので、埋込体を下部固定筋の上に置いて下方に押し下げるだけで下部固定筋受け溝に下部固定筋を嵌合させて位置決め固定することができ、施工性に優れる。
（３）上面に切り欠き状に形成され上部固定筋が係合される上部固定筋受け段差部を有するので、上部固定筋受け段差部に上部固定筋を係合させるだけで、埋込体を所定の位置に固定して位置ずれを防止することができ、固定安定性に優れる。
（４）上面に上部固定筋受け段差部が形成されているので、上部固定筋を埋込体の外側からスライドさせるようにして、上端鉄筋と上部固定筋受け段差部の間に容易に係合させることができ、施工性に優れる。
（５）下部固定筋受け溝に嵌合される下部固定筋と、上部固定筋受け段差部に係合される上部固定筋により、埋込体を上下から挟んで固定することができ、埋込体の傾きや縦横の移動を防止することができるので、コンクリート打設時の埋込体の補修作業が不要で、施工性、省力性に優れる。
（６）下部固定筋受け溝と上部固定筋受け段差部が直交して形成されることにより、下部固定筋受け溝に嵌合される下部固定筋と、上部固定筋受け段差部に係合される上部固定筋により、埋込体の前後方向及び左右方向の移動を確実に防止することができ、固定の確実性、安定性に優れる。
（７）上面又は下面の少なくともいずれか一方に形成された配筋用凹部を有することにより、埋込体の上面や下面におけるコンクリートのかぶり厚さを確保して、ひび割れ防止筋や構造鉄筋を配置することができ、汎用性、構造設計の自在性に優れる。
（８）配筋用凹部を有することにより、パンチングシャーを強化することができ、コンクリート中空スラブが共振し難く、遮音性に優れる。
（９）上面に形成された凸部と、下面に形成された嵌合凹部を有するので、一方の埋込体の嵌合凹部に他方の埋込体の凸部を嵌合させて、複数の埋込体を容易に積み重ねることができ、荷崩れや嵩張りを防止して、輸送時、及び、工場内や現場での在庫時の省スペース性、スタック安定性に優れる。
【産業上の利用可能性】
【００２８】
本発明は、埋込体を確実かつ強固に固定することができ、コンクリート打設時のコンクリート圧力や埋込体の浮力によっても、埋込体の傾きや横移動が発生することがなく、埋込体のコンクリートとのかぶり厚さを確保して、十分な耐力を得ることができ、施工性、安定性、高品質性に優れ、補修作業などが不要で施工性、省力性に優れたコンクリート中空スラブの施工方法の提供、及び簡素な構造で、鉄筋コンクリートスラブ内の上下端鉄筋間に確実に固定することができ、傾きや横移動が発生することがなく、施工性、固定安定性に優れ、輸送時、及び工場内や現場での在庫時の省スペース性、スタック性に優れた埋込体の提供を行うことにより、高品質で安定性に優れたコンクリート中空スラブを実現することができる。
【符号の説明】
【００２９】
１  コンクリート中空スラブ
２  型枠板
３  主筋支持体
５ａ，５ｂ  下端鉄筋
６ａ，６ｂ  上端鉄筋
７ａ  下部固定筋
７ｂ  上部固定筋
８  埋込体
８ａ  下部固定筋受け溝
８ｂ  嵌合凹部
８ｃ  配筋用凹部
８ｄ  上部固定筋受け段差部
８ｅ  凸部
８ｆ  配筋用凹部
９ａ，９ｂ  補助鉄筋
１０  浮止め金具
【図１】
2015068076.tif 000003
【図２】
2015068076.tif 000004
【図３】
2015068076.tif 000005
【図４】
2015068076.tif 000006
【図５】
2015068076.tif 000007
【図６】
2015068076.tif 000008
【図７】
2015068076.tif 000009